(57)【要約】液体用、特に化粧品用静電噴霧器１が提示されており、ハウジング２と、電力源３と、起動手段４と、制御電子回路５と、高電圧源６と、液体タンク７と、送出装置８と、噴霧ノズル９，９ａ，９ｂと、を少なくとも備えていて、制御電子回路５及び高周波源６はハウジング２の内部空間１０に配置されている。制御電子回路５は、少なくとも１つのセンサ手段１１を備えているか、少なくとも１つの送信及び／または受信モジュール１２を備えているか、少なくとも１つのセンサ手段１１と、少なくとも１つの送信及び／または受信モジュール１２を備えているか、のいずれかである。【選択図】図１
2020518442.tif 000002
【特許請求の範囲】
【請求項１】
液体用、特に化粧品用静電噴霧器（１）であって、
ハウジング（２）と、
電力源（３）と、
起動手段（４）と、
制御電子回路（５）と、
高電圧源（６）と、
液体タンク（７）と、
送出装置（８）と、
噴霧ノズル（９，９ａ，９ｂ）と、を少なくとも備えていて、
前記制御電子回路（５）及び前記高周波源（６）は前記ハウジング（２）の内部空間（１０）に配置されており、
前記制御電子回路（５）は、
少なくとも１つのセンサ手段（１１）を備えているか、
少なくとも１つの送信及び／または受信モジュール（１２）を備えているか、
少なくとも１つのセンサ手段（１１）と、少なくとも１つの送信及び／または受信モジュール（１２）を備えているか、のいずれかである、ことを特徴とする、噴霧器。
【請求項２】
前記少なくとも１つのセンサ手段（１１）は、前記高電圧源（６）の電圧及び／または電流強度を検出するために、特に前記高電圧源の負荷を検出するために形成されていることを特徴とする、請求項１記載の噴霧器。
【請求項３】
前記少なくとも１つのセンサ手段（１１）は、入射光の強度及び／または波長を検出するために形成されている、ことを特徴とする、先行する請求項のいずれか１項に記載の噴霧器。
【請求項４】
前記少なくとも１つのセンサ手段（１１）は、前記噴霧器（１）の周囲（１３）の空気温度及び／または空気の湿度を検出するために形成されている、ことを特徴とする、先行する請求項のいずれか１項に記載の噴霧器。
【請求項５】
前記少なくとも１つの送信及び／または受信モジュール（１２）は、無線リンクを介して携帯電話またはタブレットに接続可能である、ことを特徴とする、先行する請求項のいずれか１項に記載の噴霧器。
【請求項６】
前記電力源（３）は充電可能な電池として構成されていて、前記噴霧器（１）は前記電力源（３）を充電する少なくとも１つの充電デバイス（１４）を備えており、前記充電デバイス（１４）は特に標準化された接続として、好ましくはＵＳＢ接続として構成されている、ことを特徴とする、先行する請求項のいずれか１項に記載の噴霧器。
【請求項７】
前記電力源（３）は充電可能な電池として構成されていて、前記噴霧器（１）は前記電力源（３）を充電する少なくとも１つの充電デバイス（１４）を備えており、一方、前記充電デバイス（１４）は誘導性充電デバイスの電磁コイルとして構成されていて、前記コイルは好ましくは前記ハウジング（２）の内部において、ヘッド部（１５）上、または把持部（１６）上のいずれかに配置されている、ことを特徴とする、先行する請求項のいずれか１項に記載の噴霧器。
【請求項８】
前記少なくとも１つのセンサ手段（１１）は、前記液体タンク（７）から取り出した液体量を検出するために、または、前記液体タンク（７）内の液体の充填液位を検出するために形成されている、ことを特徴とする、先行する請求項のいずれか１項に記載の噴霧器。
【請求項９】
前記制御電子回路（５）によって、記憶手段、特に前記液体タンク（７）上のＲＦＩＤマーキングの読み出し及び／または書き込みが可能である、ことを特徴とする、先行する請求項のいずれか１項に記載の噴霧器。
【請求項１０】
前記制御電子回路（５）は、複数のセンサ手段（１１，１１ａ，１１ｂ）を備えており、
前記複数のセンサ手段（１１，１１ａ，１１ｂ）は、
前記噴霧器（１）の周囲（１３）の空気の温度及び／または湿度を検出する、
入射光の強度及び／または波長を検出する、及び、
電圧及び／または電流強度を検出する、ことを特徴とする、先行する請求項のいずれか１項に記載の噴霧器。
【請求項１１】
前記制御電子回路（５）は空間内での位置及び／または動きを検出する複数のセンサ手段を備えており、前記制御電子回路は位置及び／または一連の動きの変化を検出、保存、及び分析することを可能にしている、ことを特徴とする、先行する請求項のいずれか１項に記載の噴霧器。
【請求項１２】
先行する請求項のいずれか１項に記載されている噴霧器の動作方法であって、前記制御電子回路（５）はセンサデータを、少なくとも１つのセンサから少なくとも１つの送信及び／または受信モジュール（１２）を介して外部デバイスに転送し、前記外部デバイスは前記データを処理して、かつ／または表示し、かつ／または中継する、ことを特徴とする方法。
【請求項１３】
先行する請求項のいずれか１項に記載されている噴霧器の動作方法であって、前記制御電子回路（５）は、少なくとも１つのセンサのセンサデータを、外部デバイスから少なくとも１つの送信及び／または受信モジュール（１２）を介して得て、前記制御電子回路は、これらのデータを処理し、かつ／または表示し、かつ／または中継する、ことを特徴とする方法。
【請求項１４】
先行する請求項のいずれか１項に記載されている噴霧器の動作方法であって、前記制御電子回路（５）は、動作状態及び／またはデバイスパラメータに関するデータを、少なくとも１つの送信及び／または受信モジュール（１２）を介して外部デバイスに転送し、前記外部デバイスは前記データを処理し、かつ／または表示し、かつ／または中継する、ことを特徴とする方法。
【請求項１５】
先行する請求項のいずれか１項に記載されている噴霧器の動作方法であって、前記制御電子回路（５）はデータを、外部デバイスから少なくとも１つの送信及び／または受信モジュール（１２）を介して得て、前記制御電子回路はこれらのデータを処理し、かつ／または表示し、かつ／または中継し、特に動作状態またはデバイスパラメータを提供するために使用する、ことを特徴とする方法。
【発明の詳細な説明】
【発明の詳細な説明】
【０００１】
本発明は、請求項１の前提部に係る液体用静電噴霧器に関する。
液体用静電噴霧器は従来技術、例えば米国特許出願公開第２０１０／０１１６８９７（Ａ１）号明細書から既に知られている。この既知の噴霧器には、噴霧器の動作中に特に使用者データに基づいた使用者の個々の要求を考慮することができないという欠点がある。
【０００２】
本発明の目的は、使用者の個々の要求を考慮しながら、信頼性高くかつ柔軟に、または順応性高く動作可能な液体用静電噴霧器を提供することである。
この目的は、請求項１に係る静電噴霧器により実現される。効果的で好都合な発展形はそれぞれの下位請求項に明示されている。本発明のさらなる改善点は、下位請求項の主題である。
【０００３】
本発明の文脈では、静電噴霧は、高電圧の影響下において液体を効果的に噴霧する全ての噴霧プロセスを含む。特に、電気流体力学効果や動電効果も、この種の噴霧概念の範囲に含まれている。本発明の文脈では、静電噴霧はまた、電気流体力学的噴霧を意味するものとして理解されてもよい。
【０００４】
液体用、特に化粧品用静電噴霧器が提案されており、噴霧器は、少なくとも１つのハウジング、電力源、起動手段、制御電子回路、高電圧源、液体タンク、送出装置、及び、噴霧ノズルを備えていて、制御電子回路と高電圧源はハウジングの内部空間に配置されている。
【０００５】
より広くは、起動手段はボタンとして形成されていてもよいが、容量式スイッチ、ドライリード接触端子、あるいはホールセンサとして形成されていてもよい。追加または代替として、起動手段は、例えばハウジングのスライドなどのメインスイッチの形態で設けられていてもよく、また、例えばスマートフォンなどの、送受信ユニットを介して接続されているデバイスを経由して、機能を使用可能にしてもよい。
【０００６】
本発明によれば、制御電子回路は、少なくとも１つのセンサ手段を備えているか、少なくとも１つの送信及び／または受信モジュールを備えているか、または、少なくとも１つのセンサ手段及び少なくとも１つの送信及び／または受信モジュールを備えているか、のいずれかが提供される。センサ手段または送信及び／または受信モジュールを使用することにより、噴霧器の動作中に固有のデータを考慮することが可能になる。このようにして、噴霧器の動作中または使用中に、使用者の個々の要求を許容することができる。
【０００７】
センサという語は本事例では広義で理解すべきである。基本的には、センサは、例えば  電流の流れ、電圧、温度、光度等の物理パラメータを検出するデバイスとみなされている。しかし、センサは、ジャイロセンサ方式である動きのセンサであってもよく、位置や加速を検出してもよい。例えば輝度センサ等の光学センサもまた含まれている。
【０００８】
送受信モジュールは外部デバイスとの通信に供する。この通信に無線ＬＡＮ、Ｂｌｕｅｔｏｏｔｈ、またはモバイルインターネット（例えばＬＴＥ）等の規格を用いるかどうかは、それぞれ特有の使い方次第である。
【０００９】
さらに、本発明に係る噴霧器は、センサ手段または送信及び／または受信モジュールが動作に関するデータまたは動作中のデータを供給可能であり、かつ、特にデータの変更がある場合に、対応する許可を与える、または噴霧器の動作をそれに応じて適合させることが可能であるので、信頼性高く個々に応じて動作することができる。その結果、噴霧器はまた、使用に関して高度な柔軟性または順応性を有している。
【００１０】
本発明に係る噴霧器は種々の動作を行うためのものであってもよい。この点において、例えば日焼け止め剤を防虫剤または脱臭剤の散布と同様の手法で用いてもよい。ペンキまたはラッカーを用いた工業的用途も考えられるであろう。
【００１１】
本発明の好適な発展形は、高電圧源の電圧及び／または電流強度を検出するために、特に高電圧源の負荷を検出するために、少なくとも１つのセンサ手段が形成されていることが提供されてもよい。このようにして、例えば、送出装置の出力に影響を及ぼし、かつ／または評価することができるので、噴射結果に影響を及ぼすことができる。
【００１２】
送出装置の出力に影響を及ぼすことができるように、特に、噴霧ノズルから吐出する液体量を調節するために、本発明の効果的な発展形において、入射光の強度及び／または波長を検出するために、少なくとも１つのセンサ手段を形成することが提供されてもよい。
【００１３】
日焼け止め液剤の塗布に使用する例において、ＵＶセンサを用いれば、日焼け止め剤をいつ再塗布すべきかを計算することが可能になる。この場合、日光の強度や温度といった周囲環境データを含み得るだけでなく、使用者それぞれの個別のプロファイルも設定可能であり、関連する肌タイプや過去に肌に影響を及ぼした事項、例えば日焼け等を考慮することができる。
【００１４】
特に噴霧ノズルから吐出される液体量または発射された液体の温度に関して、送出装置の出力にさらなる影響、または出力の可制御性のために、本発明は、噴霧器の周囲の空気の温度及び／または湿度を検出するための、少なくとも１つのセンサ手段を形成することが提供されてもよい。
【００１５】
使用者固有のデータを考慮しながら噴霧器を動作させることを可能にするために、本発明の効果的な発展形において、少なくとも１つの送信及び／または受信モジュールは、無線リンクを介して携帯電話、タブレット、または同様のコンピュータに接続可能であることが提供されてもよい。
【００１６】
このようにして、噴霧器の動作モードの各個人への最適化が実施できる。例えば、日焼け止め剤を使用する場合に、スマートフォン内にある外部データによって、固有の肌タイプを判定、測定、または保存してもよい。よって、噴霧器による日焼け止め剤の塗布を、塗布結果に影響を及ぼすのであれば例えば空気の温度や湿度といった追加の環境影響因子も考慮しながら、肌タイプに対して正しく合わせて実行できる。
【００１７】
噴霧器を例えば自由に携帯可能なデバイスとしても使用可能とし、その結果、噴霧器を様々な場所でより柔軟に使用できるようにするために、本発明は、発展形において、電力源が充電可能な電池（蓄電池）として構成されており、噴霧器が電力源を充電する少なくとも１つの充電デバイスを備えていて、充電デバイスが特に標準化された接続、好ましくはＵＳＢ接続として構成されていることも提供されてもよい。充電可能電力源はまた、耐用期間が長い。標準化された接続は低コストで入手可能であり、対応する充電技術は容易に入手可能である。
【００１８】
本発明のさらに効果的な発展形は、電力源は充電可能な電池（蓄電池）として構成されており、噴霧器は電力源を充電する少なくとも１つの充電デバイスを備えていて、一方、充電デバイスは誘導性充電デバイスの電磁コイルとして構成されており、コイルは好ましくはハウジング内部のヘッド部上または把持部上のいずれかに配置されていることが提供されてもよい。電磁誘導を用いるこのような充電の可能性には、充電の前後にプラグを接続したり例えばケーブル等の電気ラインを取り外したりすることなく、噴霧器を例えば充電台から取り外すことができるという効果がある。さらに、充電ライン等の接続のために適切に配置された開口がない状態なので、水分や汚れ等がこのような開口に侵入することを防げる。その結果、噴霧器の耐用期間を長くすることができる。
【００１９】
使用者の個々の要求に対応する噴射結果を実現するために、本発明のさらに効果的な発展形は、液体タンクから取り出す液体量を検出するための、または、液体タンク内の液体の充填液位を検出するための、少なくとも１つのセンサ手段を形成することが提供されてもよい。
【００２０】
対応するセンサシステムにより、噴霧器が吐出する液体の塗布量、その結果としておそらく間接的に層の膜厚を、算出または少なくとも推定することができるので、塗布が適切に行えたかどうかに関する判断を下すことができる。この場合、効果的には、状況に応じて、噴霧器の動き及び／または塗布面からの距離の検出も検討しなければならない。
【００２１】
制御電子回路は、噴霧器の周囲の空気の温度及び／または湿度を検出し、入射光の強度及び／または波長を検出し、及び、電圧及び／または電流強度を検出するための、複数のセンサ手段を備えていると、本発明に係る噴霧器は、個々の要求を考慮することに関してさらに柔軟性高く使用することができる。
【００２２】
例えば吐出された量、動きのパターン、表面からの距離、及び太陽光線への露出などの複数のセンサのデータを上手く考慮することにより、例えば日焼け止め剤を塗布する場合に量や頻度に関して最適かつ個々に合わせた使用計画を実現できる。センサデータ及び他の特定の使用法に対する制御命令のあらゆる所望の組み合わせもまた想定可能である。
【００２３】
本発明に係る噴霧器の一実施形態は、制御電子回路によって、記憶手段、特に液体タンク上のＲＦＩＤマーキングの読み出し及び／または書き込みが可能であることが提供されている。記憶手段によって、一方では液体タンクを識別することが可能になり、他方では、記憶手段の書き込みが柔軟に行うことができる場合に、他のデバイスにある使用固有のデータ、例えば最初に開封した日付や残存充填量等に対しても保存、更新、または読み出し可能にする可能性が与えられる。このようにして、液体タンクを持続的に交換可能であるものとして設計することができる。よって、異なる噴霧デバイス間で交換することも可能になる。
【００２４】
空間内での位置及び／または動きを検出する１つ以上のセンサ手段を制御電子回路が備えている噴霧器の実施形態において、位置及び／または一連の動きの変化を検出、保存、及び分析することを可能にする制御電子回路を用いることにより、個々の使用者の使用データを検出して評価することができる。特に外部デバイス、例えばスマートフォンとの相互作用では、動きのパターンによって、噴射された場所または領域に関して判断を下すことが可能になる。
【００２５】
本発明によれば、上述された噴霧器の動作方法も提供されている。本方法の場合、制御電子回路は、少なくとも１つのセンサからのセンサデータを少なくとも１つの送信及び／または受信モジュールを介して外部デバイスに転送し、外部デバイスはそのデータを処理して、かつ／または表示し、かつ／または中継することが提供される。
【００２６】
本方法によって、例えば、液体タンクの充填液位をスマートフォン上に示し、設定されたデバイスのパラメータを送信して個人に応じて設定し、検出された動きのデータを処理することが可能である。噴霧器の使用、特に使用頻度と強度を転送することが可能であり、例えばクラウドやデータベースへと送信することが可能である。
【００２７】
本方法のさらなる実施形態では、制御電子回路は、少なくとも１つのセンサのセンサデータを、外部デバイスから少なくとも１つの送信及び／または受信モジュールを介して得て、制御電子回路は、これらのデータを処理し、かつ／または表示し、かつ／または中継することが提供されている。例えば温度センサ等の外部デバイスのセンサデータも同様に噴霧器に転送可能であるので、噴霧器はこれらのデータを使用し、動作状態をそれに応じて適合させることができる。例えば、日焼け止め剤を使用する（太陽に対して大きく露出している）場合に相当な使用頻度を要する場所で噴霧器を動作させる場合、スマートフォンのＧＰＳセンサで位置を特定することが可能であり、また、この地域の典型的なデータを用いて、噴霧器に対して、吐出される液体の量の制御を行うことが可能である。
【００２８】
同等の手法において、本方法は、制御電子回路が、動作状態及び／またはデバイスパラメータに関するデータを、少なくとも１つの送信及び／または受信モジュールを介して外部デバイスに転送し、外部デバイスがそのデータを処理及び／または表示及び／または中継する範囲まで、噴霧器を動作させるために使用されてもよい。
【００２９】
スマートフォンは、使用頻度と液体タンクから取り出した量を記録し評価してもよい。使用が不十分な場合、例えば外部デバイス、例えばスマートフォン上のアプリケーションによって、新たな使用が推奨されることを示すことが可能である。
【００３０】
対応する手法において、噴霧器の動作方法の場合、制御電子回路は、少なくとも１つの送信及び／または受信モジュールを介して、データを外部デバイスから得て、制御電子回路は、これらのデータを処理及び／または表示及び／または中継し、特に動作状態またはデバイスパラメータを提供するために使用することが提供されてもよい。
【００３１】
例えばスマートフォンのような外部デバイスのデータの使用、例えば塗布が適切に行われたかどうかの検出や使用者の要求の分析に関するデータの使用も、噴霧器に報告し返すことができ、噴霧器は、動作状態またはパラメータを自動的に適応させる。
【００３２】
本発明は、図面に基づいて以下に詳細に説明されており、その説明から、本発明に必須のさらなる特徴、及び本発明の効果が明らかになる。
【図面の簡単な説明】
【００３３】
【図１】図１は、本発明に係る噴霧器を大幅に簡素化した略図で示している。
【発明を実施するための形態】
【００３４】
静電噴霧器１は内部空間１０を有するハウジング２を備えており、ここでハウジング２には電力源３、起動手段４、制御電子回路５、高電圧源６、液体タンク７、送出装置８、及び噴霧ノズル９，９ａ，９ｂが配置されている。
【００３５】
図示されている例示的実施形態において、制御電子回路５は、センサ手段１１，１１ａ，１１ｂと送信及び／または受信モジュール１２とを備えている。
センサ手段１１，１１ａ，１１ｂは、噴霧器１における、電圧及び／または電流強度、及び／または入射光の波長、または周囲１３の空気の温度及び／または湿度を検出することを可能にするように意図または設計されていてもよい。このようにして、それに応じて算出されたデータは、例えば送出装置８の送出出力に影響を及ぼし、結果として噴霧器１の噴射結果にも影響を及ぼす可能性がある。
【００３６】
センサ手段１１，１１ａ，１１ｂは、場解析によって、噴霧ノズル９，９ａ，９ｂと噴射される対象（図示せず）との間の距離を算出または検出するように意図または設計されていてもよい。
【００３７】
センサ手段１１，１１ａ，１１ｂは、噴射対象の領域を算出または検出することを可能にするように意図または設計されていてもよい。
さらに、センサ手段１１，１１ａ，１１ｂは、噴射対象の光学分析を実施することを可能にするように意図または設計されていてもよい。
【００３８】
センサ手段１１，１１ａ，１１ｂは、反復使用、例えば複数回使用を検出することを可能にするように、かつ／または反復使用を防止するように設けられていても、または適切に設計されていてもよい。
【００３９】
センサ手段１１，１１ａ，１１ｂは、噴射対象に対する噴霧ノズル９，９ａ，９ｂの位置合わせを、例えば噴霧ノズル９，９ａ，９ｂのそれぞれの電位を比較することによって決定することを可能にするように意図または設計されていてもよい。送信及び／または受信モジュール１２は、例えば無線リンクを介して携帯電話またはタブレット（図示せず）に接続されるようになっていてもよい。例えば、使用者のデータ、例えば体重や体の大きさを携帯電話またはタブレットから噴霧器１に転送し、それに応じて適合させた噴射動作を実行することが提供されてもよい。よって、このような噴射動作は個別に、例えば使用者の体の部位のうち、気になる部位のみに対して実行されてもよい。
【００４０】
センサ要素１１，１１ａ，１１ｂまたは送信及び／または受信モジュール１２によって選択された要件に関して、噴霧器の一連の噴射動作を対応するように監視することによって、設定されていた噴射結果を可能であれば修正することができる。特に、ここでは時間と噴射された液体量を監視してもよく、場合に応じて噴射動作をさらに実行してもよい。噴射動作の監視または確認は、例えばスマートフォンまたはタブレットから噴霧器１に送信された画像データに基づいて行ってもよい。
【００４１】
図示されている例示的実施形態において、噴霧器１は電力源３を備えており、電力源３は充電可能である。この目的のために、噴霧器１は充電デバイス１４を備えており、充電デバイス１４は、ハウジング２の内部空間１０の内部、または空間１０にある、噴霧器の把持領域１６内に配置されている。
【００４２】
送信／受信モジュール１２は、例えばＷＬＡＮやＢｌｕｅｔｏｏｔｈなどの無線リンク１７ａを介した、例えばスマートフォン１８などの外部デバイスへの接続、または無線リンク１７ｂを介した外部のセンサ１９への接続を確立するために使用可能である。複数のデバイス、特に複数のセンサ１９への同時接続も想定可能である。
【００４３】
よって、内部センサ手段１１ａ，１１ｂのデータ、及び／または外部センサ１９のデータ、及び／またはスマートフォン１８のデータは、スマートフォン１８内のアプリケーション２０で処理されてもよく、使用者に対する指示や推奨は例えば画面上に出力されてもよい。噴霧器１をスマートフォン１８から遠隔制御することも想定可能である。
【００４４】
さらに、スマートフォン１８が無線リンク１７ｃを介してセンサに直に接続される可能性があり、センサのデータを評価して、例えばＵＶ値をアプリケーション２０に渡し、最終的に噴霧器１に渡す。
【００４５】
さらに、使用者のプロファイルを保存するために、または統計的評価を行うために、データを無線リンク１７ｄを介して外部の演算処理センター、例えばクラウド２１に転送することも提供されている。
【００４６】
本発明の文脈では、静電噴霧はまた、電気流体力学的噴霧を意味するものとして理解されてもよい。
本発明の文脈では、液体は任意の種類の液体を意味するものとして理解されるべきである。本発明の文脈では、液体は化粧品であってもよいが、液状の塗料またはラッカー等であってもよい。
【符号の説明】
【００４７】
１…噴霧器、２…ハウジング、３…電力源、４…起動手段、５…制御電子回路、６…高電圧源、７…液体タンク、８…送出装置、９…噴霧ノズル、９ａ…噴霧ノズル、９ｂ…噴霧ノズル、１０…内部空間、１１…センサ手段、１１ａ…センサ手段、１１ｂ…センサ手段、１２…送信及び／または受信モジュール、１３…（噴霧器の）周囲、１４…充電デバイス、１５…ヘッド部、１６…把持部、１７ａ…無線リンク  スマートフォン−噴霧器、１７ｂ…無線リンク  センサ−噴霧器、１７ｃ…無線リンク  スマートフォン−センサ、１７ｄ…無線リンク  スマートフォン−クラウド、１８…スマートフォン、１９…センサ、２０…アプリケーション、２１…クラウド／インターネット
【図１】
2020518442.tif 000003
【国際調査報告】
2020518442.tif 000004
2020518442.tif 000005
2020518442.tif 000006
2020518442.tif 000007
2020518442.tif 000008
2020518442.tif 000009